(57)【要約】      （修正有）【課題】専用のセンサを必要せず高精度な原稿厚さ検知可能な画像読取装置を提供する。【解決手段】原稿Ｊが給送トレイから給送されてイメージセンサ２２の読取位置まで搬送されたときに、原稿Ｊの両面を読み取る読取モードが指定されているか否かを判定する両面判定部と、両面判定部にて両面読取モードが指定されていると判定された場合には、光源２１が主走査方向Ｍの一方の端部側領域２１Ｘを消灯して原稿Ｘの主走査方向Ｍの端部の側面に生じる影の幅を読み取って原稿Ｊの厚さを判断する判断部と、判断部が判断した原稿Ｊの厚さに基づいて、イメージセンサ２２が取得する両面画像に対する画像濃度を調整するデータ処理部と、を備える。【選択図】図４
2015220570.tif 000002
【特許請求の範囲】
【請求項１】
原稿載置部に載置される原稿を原稿排出部まで搬送する第１搬送手段と、
前記第１搬送手段が搬送する原稿を前記第１搬送手段の搬送方向と反対方向に搬送する第２搬送手段と、
前記原稿の搬送方向と直交する方向である主走査方向に延びて原稿搬送路に向かって照射可能、かつ、主走査方向の一方の端部側領域を点灯しつつ主走査方向の他方の端部側領域を消灯可能な照射手段と、
前記第１搬送手段と前記第２搬送手段とで搬送される原稿の第１面及び第２面を読み取り可能な読取手段と、
前記第１搬送手段が原稿を前記読取手段の読取位置まで搬送したときに原稿の両面を読み取る読取モードが指定されているか否かを判定する両面判定手段と、
前記両面判定手段にて両面読取モードが指定されていると判定された場合には、前記照射手段が主走査方向の一方の端部側領域を消灯して原稿の主走査方向の端部の側面に生じる影の幅を読み取って原稿の厚さを判断する判断手段と、
前記判断手段が判断した原稿の厚さに基づいて、前記読取手段が取得する両面画像に対する画像濃度を調整する調整手段と、
を備えることを特徴とする画像読取装置。
【請求項２】
前記読取手段は、
前記両面判定手段によって両面読取モードが指定されていると判定された場合に、前記判断手段にて厚さ判断された後、
前記第２搬送手段によって前記反対方向に搬送され、前記第１搬送手段に受け渡されて搬送される原稿の第２面を読み取り、
該第２面を読み取られ、前記第２搬送手段によって前記反対方向に搬送され、前記第１搬送手段に受け渡されて搬送される原稿の前記第２面の反対側の第１面を読み取ることを特徴とする、請求項１に記載の画像読取装置。
【請求項３】
前記調整手段は、前記読取手段が原稿を読み取るときに、原稿の厚さに基づいて、前記照射手段の光量を変更することを特徴とする請求項１または請求項２に記載の画像読取装置。
【請求項４】
前記調整手段は、前記読取手段が原稿を読み取るときに、原稿の厚さに対応する輝度と濃度のテーブルに基づいて、輝度で表現された画像データを、濃度で表現された濃度データに変換することを特徴とする請求項１乃至請求項３のいずれか１項に記載の画像読取装置。
【請求項５】
画像を形成する画像形成部と、
請求項１乃至請求項４のいずれか１項に記載の画像読取装置と、
を備える画像形成装置。
【発明の詳細な説明】
【技術分野】
【０００１】
本発明は、画像を読み取る画像読取装置、及び、これを備える画像形成装置に関する。
【背景技術】
【０００２】
画像形成装置では、両面モードにて両面に印刷された原稿の一方の面を読み取るときに、原稿の他方の面に印刷された画像が反射して、他方の面の画像が一方の面の画像に写し出された状態で読取部が読み取ってしまうという所謂裏写り現象が生じ得る。この裏写り現象は、原稿の厚さが薄いときに顕著に現れやすい。この問題を解決する発明として、特許文献１や特許文献２に記載の発明が開示される。
【０００３】
特許文献１には、画像を読み取る読取センサが読取位置よりも搬送方向の上流に配置され、この読取センサが検知する原稿の厚さに基づいて、コントローラが原稿読取時のＬＥＤ補正ゲインを変更する画像形成装置が開示される。
【０００４】
特許文献２には、光源からの光が原稿の先端部に対して斜めから照射され、光遮断量検出手段が検出する原稿の先端部に生じる影の大きさに基づいて、コントローラが原稿読取時のＬＥＤ補正ゲインを変更する画像形成装置が開示される。
【先行技術文献】
【特許文献】
【０００５】
【特許文献１】特開２００４−３２０４７２号公報
【特許文献２】特開２００３−６９７９２号公報
【発明の概要】
【発明が解決しようとする課題】
【０００６】
しかし、特許文献１に記載の発明では、原稿の厚さを検知するための専用のセンサが必要であり、コストアップに繋がる。
【０００７】
また、特許文献２に記載の発明では、光源と読取位置との距離が短いと、原稿の先端部に照射される光の照射角度が小さくなる。この照射角度が小さいと、原稿の厚さの違いによる影の幅に差が生じず、原稿の厚さが検知できない可能性がある。影の副走査方向の解像度を上げるためには、原稿の搬送速度が落ちてスループットが落ちる。
【０００８】
本発明は、上記実情に鑑み、専用のセンサを必要としないで、精度が高い原稿の厚さが検知可能な画像読取装置を提供することを目的とする。
【課題を解決するための手段】
【０００９】
上記の目的を達成するため、本発明の画像読取装置は、原稿載置部に載置される原稿を原稿排出部まで搬送する第１搬送手段と、前記第１搬送手段が搬送する原稿を前記第１搬送手段の搬送方向と反対方向に搬送する第２搬送手段と、前記原稿の搬送方向と直交する方向である主走査方向に延びて原稿搬送路に向かって照射可能、かつ、主走査方向の一方の端部側領域を点灯しつつ主走査方向の他方の端部側領域を消灯可能な照射手段と、前記第１搬送手段と前記第２搬送手段とで搬送される原稿の第１面及び第２面を読み取り可能な読取手段と、前記第１搬送手段が原稿を前記読取手段の読取位置まで搬送したときに原稿の両面を読み取る読取モードが指定されているか否かを判定する両面判定手段と、前記両面判定手段にて両面読取モードが指定されていると判定された場合には、前記照射手段が主走査方向の一方の端部側領域を消灯して原稿の主走査方向の端部の側面に生じる影の幅を読み取って原稿の厚さを判断する判断手段と、前記判断手段が判断した原稿の厚さに基づいて、前記読取手段が取得する両面画像に対する画像濃度を調整する調整手段と、を備えることを特徴とする。
【発明の効果】
【００１０】
本発明によれば、専用のセンサを必要としないで、精度が高い原稿の厚さが検知可能となる。
【図面の簡単な説明】
【００１１】
【図１】画像形成装置の斜視図である。
【図２】画像読取部の断面図である。
【図３】画像読取部の内部構成を示すブロック図である。
【図４】画像読取部の原稿の厚さを検知するための読取ユニットの斜視図である。
【図５】図４を点線矢印の方向からみた側面図である。
【図６】図５のように影を発生させたときに影を含めた任意の１ラインのデータをイメージセンサで読み取った輝度データのグラフである。
【図７】ＬＥＤ光源の主走査方向の一方の一部を消灯して、原稿の端部に光が照射角度６０°で照射された様子を示す側面図等である。
【図８】画像読取部が両面読取時に原稿の厚さを検知して裏写りが発生しないように制御して、画像形成部により画像がシートに印刷される処理の流れを示すフローチャートである。
【図９】読取制御部が両面読取時に原稿の厚さの検知処理するフローチャートである。
【図１０】搬送制御部が読取位置を通過した原稿を再び読取位置に搬送する原稿の再給送処理のフローチャートである。
【図１１】実施例２に係る画像読取装置のＣＰＵの制御工程を示すフローチャートである。
【図１２】輝度と濃度の関係を示すテーブルおよびグラフである。
【発明を実施するための形態】
【００１２】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【実施例１】
【００１３】
図１は、画像形成装置１００の斜視図である。画像形成装置１００は、画像を形成する画像形成部２と、画像形成部２の上部に配置された『画像読取装置』としての画像読取部１と、を備える。画像読取部１の上部には自動原稿搬送装置４が配置され、画像読取部１の側方には操作部３が取り付けられる。ユーザは、自動原稿搬送装置４にトレイに原稿Ｊを載置して、操作部３に画像読取や画像形成の指示を打ち込み、スタートボタンを押す。そうすると、画像形成部２は、画像読取部１が読取った画像データ等に基づいて、画像形成する。画像形成部２内では、その画像は、カセットから給送されるシートに転写されて定着される。
【００１４】
図２は、画像読取部１の断面図である。ユーザが『原稿載置部』としての給送トレイ１１に原稿束をセットして読み取りを指示すると、原稿Ｊがピックアップローラ１２によって搬送路に引き込まれる。分離ローラ１３が原稿束の最上面の一枚のみを分離して搬送する。レジストセンサ１４が原稿Ｊを検知すると、レジストローラ１５が原稿Ｊの先端部にループを形成し原稿Ｊの斜行を除去する。その後にレジストローラ１５が回転し搬送路の下流に原稿Ｊを送り込む。
【００１５】
原稿Ｊがリードローラ１６を通過し、リードセンサ１７が原稿Ｊの先端を検知することで原稿Ｊの読取タイミングが調整される。原稿Ｊが読取ガラス１８上の原稿読取位置に辿り着くとプラテンローラ１９によって搬送されながら、読取ユニット２０が原稿Ｊの表面の画像を読み取る。このとき読取ユニット２０は読取ガラス１８の下の位置にあらかじめ移動し、読取ユニット２０の内部のＬＥＤ光源２１から原稿Ｊの読取部分に向かって照射する。
【００１６】
原稿Ｊに照射された光は反射されてイメージセンサ２２によって反射光が読み取られ主走査方向の１ライン分の画像信号に変換される。読取ユニット２０は原稿Ｊの先端から後端まで一定の速度で搬送しながらこの読取動作を一定の間隔で繰り返す。原稿Ｊは読み取られながら搬送ローラ２３によって排出口へ搬送する。読取動作が終了した原稿Ｊは排出ローラ２５によって『原稿排出部』としての排出トレイ２６に排出される。
【００１７】
また原稿Ｊの両面の表面の読み取り後、排出トレイ２６に排出せずに反転センサ２４によって原稿Ｊの後端を検知したらフラッパ２７を矢印の方向に駆動させて原稿Ｊを反転させるための準備を行う。反転準備ができたら排出ローラ２５を逆回転させて原稿Ｊをレジストローラ１５に向けて搬送する。以降は表面の読取動作と同様の手順で裏面の読取動作を行い排出する。
【００１８】
『第１搬送手段』としての搬送機構３１は、給送トレイ１１に載置される原稿Ｊを排出トレイ２６まで搬送すると言え、以下の構成を含む。すなわち、搬送機構３１は、ピックアップローラ１２、レジストローラ１５、リードローラ１６、プラテンローラ１９、搬送ローラ２３等を含む。『第２搬送手段』としての反転機構３２は、搬送機構３１が搬送する原稿Ｊを反対方向に搬送すると言え、以下の構成を含む。すなわち、反転機構３２は、フラッパ２７、排出ローラ２５等を含む。ただし、ここで列挙された構成は、全てが必ず必要というわけではなく、適宜省略可能である。
【００１９】
図３は、画像読取部１の内部構成を示すブロック図である。画像読取部１は、ＣＰＵ１０１、ＲＡＭ１０２、ＲＯＭ１０３、不揮発メモリ１０４、搬送制御部１０５、読取制御部１０６、データ処理部１０７、エンジン通信部１０８、操作部１０９を有する。これらはシステムバス１１０で接続されている。またエンジン通信部１０８には内部Ｉ／Ｆ１１１を介して画像出力部１１２が接続されている。なお、これらの構成は、ここでは画像読取部１の内部にあるが、画像形成部２の内部に配置される構成でも良い。
【００２０】
ＣＰＵ１０１は画像読取部１の各動作を制御し、ＲＡＭ１０２は各動作を制御する上で必要な情報を一時的に記憶するための領域に使用する。ＲＯＭ１０３は画像読取部１を制御するためのファームウェアプログラムやファームウェアプログラムを起動するためのブートプログラムが記憶されており、ＣＰＵ１０１によってプログラムが順次読みだされ実行される。
【００２１】
ＣＰＵ１０１は、『両面判定手段』としての両面判定部１０１Ｘと、『判断手段』としての判断部１０１Ｙと、を有する。両面判定部１０１Ｘは、搬送機構３１が原稿Ｊをイメージセンサ２２の読取位置まで搬送したときに原稿Ｊの両面を読み取る読取モードが指定されているか否かを判定する。判断部１０１Ｙは、両面判定部１０１Ｘにて両面読取モードが指定されていると判定された場合には、光源２１が主走査方向Ｍの一方の端部側領域２１Ｘを消灯して原稿Ｊの主走査方向Ｍの端部の側面に生じる影の幅を読み取って原稿Ｊの厚さを判断する。ここで、主走査方向Ｍは、原稿Ｊの搬送方向と直交する方向である。
【００２２】
不揮発メモリ１０４は、画像読取部１の読取動作に関する各種設定値やテーブルを保持し読み出し及び書き込みが行われる。搬送制御部１０５は、給送トレイ１１にセットされた原稿Ｊの給送、画像読取位置までの搬送、読み取り後の排出トレイ２６への排出、両面読取時の表裏反転を行い一連の搬送動作を制御する。
【００２３】
読取制御部１０６は、搬送制御部１０５によって読取位置に搬送されてくる原稿ＪにＬＥＤ光源２１から光を照射し、照射された原稿Ｊからの反射光をイメージセンサ２２で読み取る一連の読取動作を制御する。
【００２４】
『調整手段』としてのデータ処理部１０７は、ＣＰＵ１０１が判断した原稿Ｊの厚さに基づいて、イメージセンサ２２が取得する両面画像に対する画像濃度を調整する。詳しくは、データ処理部１０７は、読み取った画像データを印刷可能なデータに変換するための輝度濃度変換、ガンマ補正、２値化処理を実行する。
【００２５】
エンジン通信部１０８は、内部Ｉ／Ｆ１１１を介して画像出力部１１２との通信を行い、主に２値化された画像データの送信や画像出力部１１２からステータスの受信を行う。操作部１０９はユーザからの指示を受け付けおよびユーザに装置の状態を表示する。
【００２６】
図４は、画像読取部１の原稿Ｊの厚さを検知するための読取ユニット２０の斜視図である。読取ユニット２０は、光源２１、イメージセンサ２２、セルフォック（登録商標）レンズアレイ２８、センサ基板２９、を備えている。センサ基板２９の上面にイメージセンサ２２が配置される。イメージセンサ２２の上方にセルフォック（登録商標）レンズアレイ２８が配置される。セルフォック（登録商標）レンズアレイ２８の上方には、セルフォック（登録商標）レンズアレイ２８の搬送方向Ｌの上流と下流に光源２１が配置される。
【００２７】
『照射手段』としての光源２１は、主走査方向Ｍに延びて原稿搬送路に向かって照射可能、かつ、主走査方向Ｍの一方の端部側領域２１Ｘを点灯しつつ主走査方向Ｍの他方の端部側領域２１Ｙを消灯可能なものである。
【００２８】
原稿Ｊが給送トレイ１１から給送されてイメージセンサ２２の読取位置まで搬送方向Ｌに搬送されると、ＬＥＤ光源２１の主走査方向Ｍの一方の端部側領域２１Ｘが消灯され、原稿Ｊの主走査方向Ｍの一方の端部側領域２１Ｘの側方に影が発生する。これに関しては、図５を参照しつつ後述する。図４中で、光源２１に関し、黒い部分が一方の端部側領域２１Ｘの消灯状態の部分であり、白い部分が他方の端部側領域２１Ｙの点灯状態の部分である。
【００２９】
『読取手段』としてのイメージセンサ２２は、搬送機構３１と反転機構３２とが搬送する原稿Ｊの第１面と第２面を読み取る可能なセンサである。詳しくは、イメージセンサ２２は、両面判定部１０１Ｘによって両面読取モードが指定されていると判定された場合に、判断部１０１Ｙにて厚さ判断された後に、反転機構３２によって反対方向に搬送されて搬送機構３１に受け渡されて搬送される原稿Ｊの第２面を読み取り、第２面を読み取られて反転機構３２によって反対方向に搬送されて搬送機構３１に受け渡されて搬送される原稿Ｊの第２面の反対側の第１面を読み取る。
【００３０】
図５は、図４を点線矢印の方向からみた側面図である。図５を用いて２つの厚さが異なる原稿Ｊに対し発生する影の違いを説明する。ＬＥＤ光源２１から上方に向かう光によって原稿Ｊの主走査方向Ｍの一方の端部側領域２１Ｘの側方には、原稿Ｊの上方に配置されるプラテンローラ１９の表面に影が生じる。イメージセンサ２２は、その原稿Ｊの側方に生じた影の幅から原稿Ｊの厚さを検知して、両面読み取り時の裏写りの防止に利用する。
【００３１】
ここでは、図４において、イメージセンサ２２は、セルフォック（登録商標）レンズアレイ２８よりも搬送方向Ｌの上流の光源２１により生じた影の幅を検知するように構成される。ただし、イメージセンサ２２が影の幅を検知する方法は、例えば、光源２１が図４のように２つある場合やその他複数ある場合には、任意の１ラインの影の幅を検知する方法でも良いし、複数のラインの影の幅を検知する方法でも良い。または、イメージセンサ２２が複数のラインの影の幅を検知する場合に、その後に、ＣＰＵ１０１がその平均を算出して、その値を使用する方法でも良い。
【００３２】
図５（ｂ）は、図５（ａ）よりも、原稿Ｊの厚さが薄いことを示す。ＬＥＤ光源２１において黒で塗りつぶした部分が消灯を示している。図５（ａ）と図５（ｂ）とでは、ＬＥＤ光源２１の主走査方向Ｍの消灯する幅は同じに設定される。ここで、ＬＥＤ光源２１から照射される光の照射角度が同じに設定されても、原稿Ｊの厚みによって原稿Ｊの主走査方向Ｍの側方に生じる影の幅が異なる。従って、ＣＰＵ１０１は、イメージセンサ２２が検知する影の幅に基づいて、原稿Ｊの厚さを導出することができる。
【００３３】
図６は、図５のように影を発生させたときに影を含めた任意の１ラインのデータをイメージセンサ２２で読み取った輝度データのグラフである。図６（ａ）は図５（ａ）に対応する。図６（ｂ）は図５（ｂ）に対応する。横軸がイメージセンサ２２の主走査方向Ｍの読取位置で、縦軸が読み取った輝度データを示す。
【００３４】
ＬＥＤ光源２１の主走査方向Ｍの一部分を消灯した位置から右方向に向かって輝度が下がり始めて（点Ｘ参照）、原稿Ｊの端部の位置から影により輝度が急激に下がり（点Ｙ参照）、影の幅の分だけ低い輝度が検出される（線分Ｚ）。この線分Ｚの影の幅から原稿Ｊの厚さが判別できる。
【００３５】
図７（ａ）は、ＬＥＤ光源２１の主走査方向Ｍの一方の端部側領域２１Ｘ（ＬＥＤ光源２１の一部）を消灯して、原稿Ｊの端部に光が照射角度６０°で照射された様子を示す側面図である。図７（ｂ）は、図７（ａ）中の円で囲まれた影の部分を拡大した図である。この図７を使って、原稿Ｊの厚さを検知するために必要な光の照射角度と検出される影の幅に関して説明する。図７（ｂ）から理解されるように、原稿Ｊの厚さと影の幅には以下の式（１）の関係が成り立つ。
【００３６】
［数１］  ｔａｎ（６０°）＝影の幅／原稿Ｊの厚さ・・・（１）
（影の幅＝原稿Ｊの厚さ×１．７３２０５）
【００３７】
図７（ｃ）は、原稿Ｊの厚さと影の幅の関係を示す表である。図７（ｃ）の表は、原稿Ｊの厚さ（ｍｍ）と影の幅（１２００ｄｐｉ）の関係をデータ化したものであり、このデータは不揮発メモリ１０４に記憶され、ＣＰＵ１０１は、検知した影の幅から原稿Ｊの厚さを判別する。
【００３８】
図８は、画像読取部１が両面読取時に原稿Ｊの厚さを検知して裏写りが発生しないように制御して、画像形成部２により画像がシートに印刷される処理の流れを示すフローチャートである。画像形成装置１００のＣＰＵ１０１が、ユーザからコピージョブを受信する（Ｓ１０１）。搬送制御部１０５は、ピックアップローラ１２等のシートの搬送機構３１を駆動させて、給送トレイ１１に載置された原稿束の最上面の１枚を給送して読取位置まで搬送する（Ｓ１０２）。ＣＰＵ１０１は、リードセンサ１７が原稿Ｊの先端を検知したか否かを判断して、画像の読み取りを準備する（Ｓ１０３）。
【００３９】
ＣＰＵ１０１は、Ｓ１０３の結果ＹＥＳの場合には、ユーザから指定されたモードが両面読取モードか否かを判断する（Ｓ１０４）。ＣＰＵ１０１は、Ｓ１０３の結果ＮＯの場合には、Ｓ１０３の工程に戻る。
【００４０】
ＣＰＵ１０１は、Ｓ１０４の結果ＹＥＳの場合（両面読取モードの場合）には、原稿Ｊの厚さの検知処理を実行する（Ｓ１０５）。原稿Ｊの厚さの検知処理の詳細は後述するが、この中で読取解像度を原稿Ｊの厚さの検知用の固定解像度に設定し、ＬＥＤ光源２１の一方の端部側領域２１Ｘ（一部）のＬＥＤを消灯する。ＣＰＵ１０１は、Ｓ１０４の結果ＮＯの場合（片面読取モードの場合）には、Ｓ１１７、Ｓ１１８の工程に移行する（後述する）。
【００４１】
ＣＰＵ１０１は、原稿Ｊを再給送する処理を実行し、原稿Ｊの表裏を反転して、再び原稿Ｊを読取位置に搬送する（Ｓ１０６）。
【００４２】
ＣＰＵ１０１は、原稿Ｊの厚さの検知処理が終了してから原稿Ｊが２回目に読取位置に搬送されるまでに、原稿Ｊの厚さの検知処理で一部消灯していたＬＥＤ光源２１を全部点灯して、検知した原稿Ｊの厚さからＬＥＤ光源２１の光量を調整する（Ｓ１０７）。すなわち、ＣＰＵ１０１はデータ処理部１０７に指令して、データ処理部１０７は、イメージセンサ２２が原稿Ｘを読み取るときに、原稿Ｘの厚さに基づいて、光源２１の光量を変更する。ＣＰＵ１０１は、コピージョブに指定された読取解像度に設定する（Ｓ１０８）。ＣＰＵ１０１は、原稿Ｊの先端が読取位置に搬送されると、読取解像度に従って原稿Ｊの裏面の読み取りを実行する（Ｓ１０９）。
【００４３】
ＣＰＵ１０１は、原稿Ｊの再給送処理を実行する（Ｓ１１０）。ＣＰＵ１０１は、今度は原稿Ｊの表面を読み取る（Ｓ１１１）。ＣＰＵ１０１は、原稿Ｊの両面を読み終えているので、原稿Ｊを排出する（Ｓ１１２）。ＣＰＵ１０１は、給送トレイ１１に載置された全ての原稿Ｊに対して読み取りが終了したか否かを判断する（Ｓ１１３）。
【００４４】
ＣＰＵ１０１は、Ｓ１１３の結果ＹＥＳの場合には、読み取った画像データをデータ処理部１０７で輝度−濃度変換、ガンマ補正、２値化を実行して（Ｓ１１４）、印刷可能なデータに変換される。ＣＰＵ１０１は、Ｓ１１３の結果ＮＯの場合には、Ｓ１０２の工程に戻る。ＣＰＵ１０１は、変換されたデータを内部Ｉ／Ｆ１１１を介して画像出力部１１２に送信する（Ｓ１１５）。ＣＰＵ１０１は印刷を行わせる（Ｓ１１６）。
【００４５】
なお、ＣＰＵ１０１は、Ｓ１０４の結果ＮＯの場合には、コピージョブに指定された読取解像度に設定する（Ｓ１１７）。ＣＰＵ１０１は、原稿Ｊを読み取る（Ｓ１１８）。
【００４６】
図９は、読取制御部１０６が両面読取時に原稿Ｊの厚さの検知処理するフローチャートである。読取制御部１０６は、原稿Ｊの厚さを検知する準備として、ＬＥＤ光源２１の主走査方向Ｍの一方の端部側領域２１Ｘの部位を消灯して（Ｓ２０１）、原稿Ｊの主走査方向Ｍの端部の側面に影が発生するようにする。
【００４７】
読取制御部１０６は、読取解像度に関して、主走査方向Ｍを１２００ｄｐｉ、副走査方向（搬送方向Ｌに相当）を３００ｄｐｉに設定する（Ｓ２０２）。このときに、読取制御部１０６は、主走査方向Ｍの読取解像度を高く設定することで、原稿Ｊの厚さによって原稿Ｊの端部に発生する影の幅を精度良く検知できる。また、読取制御部１０６は、副走査方向の読取解像度を低く設定することで、シートの搬送速度を下げずに影の幅を精度良く検知できる。
【００４８】
読取制御部１０６は、原稿Ｊが読取位置を通過中に、読取ユニット２０が原稿Ｊの主走査方向Ｍの端部に発生する影を含めた任意の１ライン分の画像データを読み取る（Ｓ２０３）。読取制御部１０６は、読み取った１ライン分のデータに影の部分が含まれるので、そこから影の幅を検出する（Ｓ２０４）。読取制御部１０６は、最後に検出した影の幅から原稿Ｊの厚さを判別する（Ｓ２０５）。
【００４９】
図１０は、搬送制御部１０５が読取位置を通過した原稿Ｊを再び読取位置に搬送する原稿Ｊの再給送処理のフローチャートである。搬送制御部１０５は、原稿Ｊが読取位置を通過して、反転センサ２４が原稿Ｊの後端を検知したか否かを判断する（Ｓ３０１）。
【００５０】
搬送制御部１０５は、Ｓ３０１の結果ＹＥＳの場合には、原稿Ｊの搬送を一時停止する（Ｓ３０２）。搬送制御部１０５は、Ｓ３０１の結果ＮＯの場合には、Ｓ３０１の工程に戻る。搬送制御部１０５は、図２に示すフラッパ２７を矢印方向に駆動して（Ｓ３０３）、原稿Ｊの表裏を反転して、再び原稿Ｊの読取処理を実行するための搬送路を生成する。
【００５１】
搬送制御部１０５は、フラッパ２７の駆動が完了すると、排出ローラ２５を逆回転して、一時停止していた原稿Ｊを排出方向と逆方向に搬送して再びレジストローラ１５及びリードローラ１６へと原稿Ｊを搬送する（Ｓ３０４）。搬送制御部１０５は、リードセンサ１７が原稿Ｊの先端を検知したか否かを判断する（Ｓ３０５）。
【００５２】
搬送制御部１０５は、Ｓ３０５の結果ＹＥＳの場合には制御工程を終了して、これで原稿Ｊの再給送処理が完了して原稿Ｊの読み取りの処理に移行し、Ｓ３０５の結果ＮＯの場合にはＳ３０５の工程に戻る。
【実施例２】
【００５３】
実施例２では、データ処理部１０７は、イメージセンサ２２が原稿Ｘを読み取るときに、原稿Ｘの厚さに対応する輝度と濃度のテーブルに基づいて、輝度で表現された画像データを、濃度で表現された濃度データに変換することを特徴とする。以下、実施例１と同一の構成に関しては、実施例２でも同一の符号を付して説明が援用されるものとし、説明を省略する。
【００５４】
図１１は、実施例２に係る画像読取装置のＣＰＵ１０１の制御工程を示すフローチャートである。ＣＰＵ１０１の制御工程のうち、コピージョブ受信から両面読取モードの判定までは先に説明した実施例１と同じであるため詳細な説明は省略する（Ｓ４０１〜Ｓ４０４）。
【００５５】
ＣＰＵ１０１は、両面読取モードであるか否かを判断（Ｓ４０４）した結果ＹＥＳの場合（両面読取モードである場合）には、コピージョブに指定された読取解像度に設定して読み取りの準備をする（Ｓ４０５）。ＣＰＵ１０１は、Ｓ４０４の結果ＮＯの場合には、Ｓ４１７やＳ４１８の制御工程に移行する。
【００５６】
ＣＰＵ１０１は、原稿Ｊの表面を読み取る（Ｓ４０６）。ＣＰＵ１０１は、原稿Ｊの再給送処理を実行する（Ｓ４０７）。ＣＰＵ１０１は、原稿Ｊの裏面を読み取る（Ｓ４０８）。ＣＰＵ１０１は、原稿Ｊの再給送処理を実行する（Ｓ４０９）。
【００５７】
ＣＰＵ１０１は、読取ユニット２０により原稿Ｊの厚さを検知する（Ｓ４１０）。ＣＰＵ１０１は、原稿Ｊを排出させる（Ｓ４１１）。
【００５８】
ＣＰＵ１０１は、前述の一連の処理を給送トレイ１１に積載される全ての原稿Ｊに対して実行して、全ての原稿Ｊの読み取りが完了したか否かを判断する（Ｓ４１２）。ＣＰＵ１０１は、Ｓ４１２の判断の結果ＹＥＳの場合には、図１２（ａ）の原稿Ｊの厚さに対応した変換テーブルに基づいて、データ処理部１０７が輝度で表現された画像データを濃度で表現された画像データに変換する（Ｓ４１３）。ＣＰＵ１０１は、Ｓ４１２の結果ＮＯの場合には、Ｓ４０２の制御工程に移行する。
【００５９】
ここで、画像データにおける輝度値と濃度の対応関係は、図１２（ｂ）のグラフのようになっている。Ｓ４１３では、例えば輝度値が１６０であった場合に、図１２（ａ）の輝度濃度変換テーブルを用いて濃度１２０と変換する。
【００６０】
ＣＰＵ１０１は、ガンマ補正及び２値化を実行する（Ｓ４１４）。ＣＰＵ１０１は、濃度で表現された印刷可能なデータを、Ｉ／Ｆ１１１を介して画像出力部１１２に送信する（Ｓ４１５）。ＣＰＵ１０１は、印刷させる（Ｓ４１６）。
【００６１】
ＣＰＵ１０１は、Ｓ４０４の結果ＮＯの場合には、コピージョブに指定された読取解像度に設定する（Ｓ４１７）。ＣＰＵ１０１は、原稿Ｊを読み取り（Ｓ４１８）、Ｓ４１１の制御工程に移行する。
【００６２】
実施例の画像読取装置によれば、原稿Ｘの端部に照射される角度を大きくして原稿Ｊの端部に発生する影から、原稿Ｊの厚さを精度良く検知することができる。また、主走査方向Ｍに発生する影を検知するのに副走査方向の解像度が低くても、原稿Ｘの厚さを検知できるのでスループット低下を防ぐことができる。その結果、専用のセンサを必要としないで、精度が高い原稿の厚さが検知可能となる。
【符号の説明】
【００６３】
１      画像読取部（画像読取装置）
１１    給送トレイ（原稿載置部）
２１    光源（照射手段）
２１Ｘ  一方の端部側領域
２１Ｙ  他方の端部側領域
２２    イメージセンサ（読取手段）
２６    排出トレイ（原稿排出部）
３１    搬送機構（第１搬送手段）
３２    反転機構（第２搬送手段）
１０１Ｘ  両面判定部（両面判定手段）
１０１Ｙ  判断部（判断手段）
１０７  データ処理部（調整手段）
Ｘ      原稿
Ｍ      主走査方向
【図１】
2015220570.tif 000003
【図２】
2015220570.tif 000004
【図３】
2015220570.tif 000005
【図４】
2015220570.tif 000006
【図５】
2015220570.tif 000007
【図６】
2015220570.tif 000008
【図７】
2015220570.tif 000009
【図８】
2015220570.tif 000010
【図９】
2015220570.tif 000011
【図１０】
2015220570.tif 000012
【図１１】
2015220570.tif 000013
【図１２】
2015220570.tif 000014